(57)【要約】      （修正有）【課題】１個或いは１個以上の警告表示指標を、透明ケース外に設置する指針式メーターの安全指示用標記付加構造である差圧計の指針式警告標記構造を提供する。【解決手段】差圧計の指針式警告標記構造は、差圧ゲージ或いは圧力ゲージの透明ケース３上に圧力ゲージ指針２１と同軸心の軸体３１を設置し、軸体３１上には１個或いは１個以上の警告表示指標４を配置する。これにより警告表示指標４を適当な位置へと調整し、指針２１と数値が適当な区間にあるかどうか、或いは標準値を超えていないかどうかを、目視で判読でき、即時に処理を行うことができる。【選択図】図１
0003175305.tif 000002
【実用新案登録請求の範囲】
【請求項１】
差圧計の指針式警告標記構造は、指針式メーター面に、メーター台、透明ケース、１個或いは１個以上の警告表示指標を備え、
前記メーター台は、内部に、指針を備え、前記指針は、軸心により、弧状運動を行い、目盛り板に対応して数値を表示し、
前記透明ケースは、透明状を呈し、前記メーター台に組み合わせてこれを覆い、前記透明ケース上には、軸体を設置し、
前記各警告表示指標の構造中には、軸孔を備え、前記軸孔により、前記軸体に組み合わせて設置し、しかも前記軸孔と前記軸体を利用し、前記警告表示指標の回転を調整できることを特徴とする差圧計の指針式警告標記構造。
【請求項２】
前記軸体は、前記軸心と同軸線に位置することを特徴とする請求項１に記載の差圧計の指針式警告標記構造。
【請求項３】
前記軸体と前記軸孔の両者間は、緊迫関係を呈することを特徴とする請求項１に記載の差圧計の指針式警告標記構造。
【請求項４】
前記警告表示指標の形状中には、ポイント指示性の尖端を備えることが好ましいことを特徴とする請求項１に記載の差圧計の指針式警告標記構造。
【請求項５】
前記警告表示指標は、赤色を含む色を備えることを特徴とする請求項１に記載の差圧計の指針式警告標記構造。
【請求項６】
前記警告表示指標末端には、調整部を備えることを特徴とする請求項１に記載の差圧計の指針式警告標記構造。
【考案の詳細な説明】
【技術分野】
【０００１】
本考案は差圧計の指針式警告標記構造に関し、特に指針式メーターの安全指示用標記付加構造で、１個或いは１個以上の警告表示指標を、透明ケース外に設置する構造である差圧計の指針式警告標記構造に関する。
【背景技術】
【０００２】
差圧ゲージ或いは圧力ゲージなどの従来の計量メーターでは、そのメーター内に、指示針を備える。
指示針は、圧力の状態に応じて動き、メーター内の数字目盛り板に対応し、人員は数値を目視で読み取る。
【０００３】
実務上、計量メーターには安全数値が設定されている。
もし、計量メーター上に、安全標記が付加されていなければ、指針の所在位置が安全状態を示しているかどうかを、現場の人員が理解することは困難である。
【０００４】
従来の安全標記の多くは、現場の人員がみずからシールを貼る方法により設置されている。
しかしこの方法では、見た目が美しくないばかりか、万一シールが剥がれたなら、指針が安全範囲を超えていたとしても気付かず、非常に危険である。
本考案は、従来の差圧計の指針式警告標記構造の上記した欠点に鑑み、使用位置と場所の制限を受けない構造の開発のためなされたものである。
【考案の概要】
【考案が解決しようとする課題】
【０００５】
本考案が解決しようとする課題は、警告表示用標記を、透明ケースの範囲内に設置し、標記が計量メーター円周を超えないよう調整し、これにより計量メーターの嵌合方式による設置の便を図り、標記の付加が非常に容易で、しかも使用に便利である差圧計の指針式警告標記構造を提供することである。
【課題を解決するための手段】
【０００６】
上記課題を解決するため、本考案は下記の差圧計の指針式警告標記構造を提供する。
差圧計の指針式警告標記構造は、差圧ゲージ或いは圧力ゲージの透明ケース上に、圧力ゲージ指針と同軸心の軸体を設置し、
該軸体上には、１個或いは１個以上の警告表示指標を配置し、これにより該警告表示指標を適当な位置へと調整し、指針と数値が適当な区間にあるかどうかを目視で判読でき、
該警告表示指標の構造中には、軸孔を備え、
該軸孔は、該軸体上に組み合わせて設置することができ、しかも該軸孔と該軸体を利用し、該警告表示指標の回転の作用を達成し、
該軸孔と該軸体の両者間は、やや緊迫関係を呈することが好ましく、これにより該警告表示指標が定位できず、或いは任意に移動することを回避し、
該警告表示指標の形状中には、ポイント指示性の尖端を備えることが好ましく、これにより指針に相対して判読を行い易く、
該警告表示指標は、赤色などの、警告表示作用が目立つ色を備え、
該警告表示指標は末端に、調整部を備え、指による位置調整に便利である。
【考案の効果】
【０００７】
本考案の差圧計の指針式警告標記構造は、警告表示用標記を、透明ケースの範囲内に設置し、標記が計量メーター円周を超えないよう調整し、これにより計量メーターの嵌合方式による設置の便を図り、標記の付加が非常に容易で、しかも使用に便利である。
【図面の簡単な説明】
【０００８】
【図１】本考案の立体分解図である。
【図２】本考案の立体外観図である。
【図３】本考案付加警告表示指標の状態模式図である。
【考案を実施するための形態】
【０００９】
以下に図面を参照しながら本考案を実施するための最良の形態について詳細に説明する。
【実施例】
【００１０】
図１、２に示すように、本考案差圧計の指針式警告表示標記構造は、メーター台1、透明ケース3、１個或いは１個以上の警告表示指標4を備える。
【００１１】
メーター台１内部に、他のパーツを組合せ、指針式計量メーターを構成する。
指針式計量メーターは、圧力ゲージ或いは差圧ゲージを含むが、これに限定するものではない。
メーター台1内部には、指針21を設置し、指針21は、軸心20により、内部圧力に基づき、弧状運動を行い、これにより目盛り板22に対応して数値を表示する。
【００１２】
透明ケース3は、透明状を呈し、メーター台1に組み合わせてこれを覆う。
透明ケース3上には、軸心20と、同軸線に位置することが好ましい軸体31を設置する。
【００１３】
各警告表示指標4の構造中には、軸孔41を備える。
軸孔41により、軸体31に組み合わせて設置し、しかも軸孔41と軸体31を利用し、警告表示指標4の回転の作用を達成する。
【００１４】
警告表示指標4末端には、調整部42を設置し、これにより警告表示指標4を適当な位置へと調整する。
こうして、指針21と数値が適当な区間にあるかどうかを目視により判読することができる(図３参照)。
【００１５】
警告表示指標4の形状中には、ポイント指示性の尖端を備えることが好ましく、これにより指針に相対して判読を行い易く、また、警告表示指標4は、赤色などの、警告表示作用が目立つ色を備える。
【００１６】
本考案の軸体31は、指針21の軸心20と同軸線上に位置することが好ましいため、警告表示指標4の調整角度範囲は、指針21の運動範囲に精確に対応し、極めて理想的である。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１      メーター台
２０    軸心
２１    指針
２２    目盛り板
３      透明ケース
３１    軸体
４      警告表示指標
４１    軸孔
４２    調整部
【図１】
0003175305.tif 000003
【図２】
0003175305.tif 000004
【図３】
0003175305.tif 000005
【手続補正書】
【提出日】平成24年2月27日(2012.2.27)
【手続補正１】
【補正対象書類名】実用新案登録請求の範囲
【補正対象項目名】請求項３
【補正方法】変更
【補正の内容】
【請求項３】
前記軸体と前記軸孔の両者間は、緊密な係合関係を呈することを特徴とする請求項１に記載の差圧計の指針式警告標記構造。
【手続補正２】
【補正対象書類名】実用新案登録請求の範囲
【補正対象項目名】請求項４
【補正方法】変更
【補正の内容】
【請求項４】
前記警告表示指標の形状中には、ポイントを指示するための尖端を備えることが好ましいことを特徴とする請求項１に記載の差圧計の指針式警告標記構造。
【手続補正３】
【補正対象書類名】実用新案登録請求の範囲
【補正対象項目名】請求項６
【補正方法】変更
【補正の内容】
【請求項６】
前記警告表示指標の末端には、調整部を備えることを特徴とする請求項１に記載の差圧計の指針式警告標記構造。
【手続補正４】
【補正対象書類名】明細書
【補正対象項目名】０００６
【補正方法】変更
【補正の内容】
【０００６】
上記課題を解決するため、本考案は下記の差圧計の指針式警告標記構造を提供する。
差圧計の指針式警告標記構造は、差圧ゲージ或いは圧力ゲージの透明ケース上に、圧力ゲージ指針と同軸心の軸体を設置し、
該軸体上には、１個或いは１個以上の警告表示指標を配置し、これにより該警告表示指標を適当な位置へと調整し、指針と数値が適当な区間にあるかどうかを目視で判読でき、
該警告表示指標の構造中には、軸孔を備え、
該軸孔は、該軸体上に組み合わせて設置することができ、しかも該軸孔と該軸体を利用し、該警告表示指標の回転の作用を達成し、
該軸孔と該軸体の両者間は、やや緊密な係合関係を呈することが好ましく、これにより該警告表示指標が定位できず、或いは任意に移動することを回避し、
該警告表示指標の形状中には、ポイントを指示するための尖端を備えることが好ましく、これにより指針に相対して判読を行い易く、
該警告表示指標は、赤色などの、警告表示作用が目立つ色を備え、
該警告表示指標は末端に、調整部を備え、指による位置調整に便利である。
【手続補正５】
【補正対象書類名】明細書
【補正対象項目名】００１４
【補正方法】変更
【補正の内容】
【００１４】
警告表示指標4の末端には、調整部42を設置し、これにより警告表示指標4を適当な位置へと調整する。
こうして、指針21と数値が適当な区間にあるかどうかを目視により判読することができる(図３参照)。
【手続補正６】
【補正対象書類名】明細書
【補正対象項目名】００１５
【補正方法】変更
【補正の内容】
【００１５】
警告表示指標4の形状中には、ポイントを指示するための尖端を備えることが好ましく、これにより指針に相対して判読を行い易く、また、警告表示指標4は、赤色などの、警告表示作用が目立つ色を備える。